(57)【要約】【課題】梱包時の作業性を向上できる梱包箱を提供する。【解決手段】梱包箱１００は、上面が開口した底蓋体１０２と、この底蓋体１０２に挿入して組み合わせられる上部収容体１０４とから構成されている。底蓋体１０２には、その底板１０２ａの上に下部緩衝材１０６が設置され、その上には上部緩衝材１０８が載置された状態で梱包対象物が載置される。特に上部緩衝材１０８はガイド板１０８ａの上面に形成されており、その四辺にはそれぞれ突起１０８ｂが形成されている。上部緩衝材１０８を下部緩衝材１０６の上に載置すると、各突起１０８ｂが側壁１０２ｂの内面に接触して自然に位置決めがなされる。【選択図】図２
2008179367.tif 000002
【特許請求の範囲】
【請求項１】
底板とその周縁から立ち上がる側壁とから構成されて上面が開口した底蓋体と、
天板とその周縁から垂下される側壁とから構成されて下面が開口し、この下面の開口を前記底蓋体の上面の開口に向き合わせた状態で前記側壁の内側に挿入される上部収容体と、
前記底蓋体の底板上に、その側壁よりも内側に設置して収容される下部緩衝材と、
前記下部緩衝材の上に載置した状態で前記底蓋体の側壁よりも内側に収容される上部緩衝材と、
前記上部緩衝材の周囲に部分的に突出して形成され、先端が前記底蓋体の側壁面に接触することにより前記下部緩衝材上に載置された前記上部緩衝材を前記底蓋体に対して位置決めするとともに、この位置決めした状態にて、前記上部緩衝材の周囲と前記底蓋体の側壁面との間に前記上部収容体の挿入空間を形成する突起と、
前記上部収容体の側壁をその下端から部分的に上方に切り欠いて形成され、前記上部収容体が前記底蓋体に挿入された状態で前記突起を相対的に受け入れる切欠部と
を備えたことを特徴とする梱包箱。
【請求項２】
請求項１に記載の梱包箱において、
前記突起は、先端が前記底蓋体の側壁面に接触することで前記上部緩衝材を前記底蓋体に対して位置決めするとともに、前記底蓋体内での前記突起自身の位置ずれを防止することにより、前記上部収容体が前記底蓋体に対して上面の開口から挿入される際の前記切欠部との相対的な位置決めを行うことを特徴とする梱包箱。
【請求項３】
請求項１又は２に記載の梱包箱において、
前記上部緩衝材は、所定の板状材の上面に形成されており、
前記突起は、前記板状材の周縁から張り出して形成されていることを特徴とする梱包箱。
【発明の詳細な説明】
【技術分野】
【０００１】
本発明は、例えば出荷前の製品を梱包する用途に適した梱包箱に関する。
【背景技術】
【０００２】
例えば、複写機のようにある程度の質量を有した製品（重量物）を梱包する際、底蓋のような箱形状のベース上に緩衝材を介して製品を載置し、その上方から外箱を被せて梱包する形態が一般的に知られている（例えば、特許文献１参照。）。あるいは、底蓋とは別のパレット上に緩衝材を介して製品を載置し、その上方から梱包箱を被せて梱包するものも知られている。（特許文献２参照。）。
【０００３】
先に挙げた先行技術（特許文献１）では、先ず緩衝材をベース上に載置しておき、そして、緩衝材の凹部に製品を嵌め合わせるようにして載置する形態であるが、緩衝材がベース上に固定されていないため、製品を載置する時に緩衝材がずれないように注意しながら作業を行う必要がある。
【０００４】
この点について、後に挙げた先行技術（特許文献２）では、製品を載置するパレット上に緩衝材を固定するための凹部が設けられており、この凹部に対応して緩衝材には凸部が形成されている。この場合、予め緩衝材をパレット上に固定しておくことができるため、先に挙げた先行技術（特許文献１）のように製品を載置する時の緩衝材のずれを考慮する必要がない。
【特許文献１】特開２００６−５１９９４号公報（図１）
【特許文献２】特開２００５−２０００８１号公報（図１）
【発明の開示】
【発明が解決しようとする課題】
【０００５】
しかしながら、後者の先行技術（特許文献２）においても、梱包作業の過程で緩衝材を１つずつパレットの凹部に嵌め込み、その向きを全て揃える作業が必要になることから、前者の先行技術（特許文献１）に対してそれほど作業性に優れるとはいえない。
【０００６】
また前者の先行技術（特許文献１）のように、製品が載置されるベースの内側に角筒状の本体を挿入して梱包箱を組み立てている場合、ベースの内側に本体を挿入する際、その下端が緩衝材と干渉しないように注意しながら作業を行う必要がある。この場合、緩衝材がベースに固定されていないことから、製品とともに緩衝材の位置を調整することは可能であるが、それだけ本体を挿入する際の作業工数は多くなってしまう。
【０００７】
この点、後者の先行技術（特許文献２）のように緩衝材をベースに固定（ロック）させておき、予め緩衝材の周囲に本体を挿入するための空間を確保しておく方法も考えられるが、そうすると、今度は緩衝材を１つずつ固定（ロック）させるために別の作業が必要になるため、結局は全体としての作業性を改善したことにならない。
【０００８】
そこで本発明は、梱包作業の効率を改善することができる技術の提供を課題としたものである。
【課題を解決するための手段】
【０００９】
本発明の梱包箱は、底蓋体と上部収容体とを組み合わせて構成される。底蓋体は、底板とその周縁から立ち上がる側壁とから構成されており、上面が開口した形態を有する。また上部収容体は、天板とその周縁から垂下される側壁とから構成されており、下面が開口した形態を有する。上部収容体は、その下面の開口を底蓋体の上面の開口に向き合わせた状態で、底蓋体の側壁の内側に挿入される。
【００１０】
また本発明の梱包箱は、下部緩衝材と上部緩衝材によって、梱包対象物の荷重を支えることができる。このうち下部緩衝材は、底蓋体の底板上に側壁よりも内側に設置して収容されるものであり、また上部緩衝材は、下部緩衝材の上に載置した状態で底蓋体の側壁よりも内側に収容されるものとなっている。上部緩衝材は、例えば梱包対象物（製品）の下面を直接的に支持できる形態に成形されており、そして下部緩衝材は、上部緩衝材を介して対象物の荷重を支持するとともに、例えば落下時の衝撃荷重によって変形し、その衝撃を緩和する役割を果たす。
【００１１】
このような構造において、上部収容体を底蓋体の内側に挿入して梱包箱として組み立てる際、下部緩衝材及び上部緩衝材を避けながら上部収容体を挿入する必要があるが、本発明では以下の手段により作業性の向上を図っている。
【００１２】
先ず、下部緩衝材については底蓋体の底板上に直接設置されているため、予め周囲に上部収容体の側壁を挿入するための空間を確保しておくことは容易である。これに対し、上部緩衝材は単に下部緩衝材の上に載置されているだけであるが、その周囲に形成された突起の先端が底蓋体の側壁面に接触することで、上部緩衝材を位置決めすることができる。このようにして上部緩衝材が位置決めされた状態で、上部緩衝材の周囲と底蓋体の側壁面との間には上部収容体の挿入空間が形成されるため、特に上部緩衝材の位置調整を行ったり、前もって上部緩衝材を下部緩衝材に固定（ロック）させておいたりする必要がなく、その挿入作業を極めて容易に行うことができる。
【００１３】
一方、上部収容体の側壁には、その下端から部分的に上方に切り欠いて形成された切欠部が設けられている。この切欠部は、上部収容体が底蓋体に挿入された状態で、その内側に突起を相対的に受け入れることができる。すなわち、上部収容体を底蓋体に挿入する際に切欠部が突起の逃がしとなるため、上部収容体の側壁は突起に干渉することがない。また、上部収容体が挿入された状態では、底蓋体の底板と突起との間の段差は切欠部によって解消されている。
【００１４】
上述した突起は、その先端が底蓋体の側壁面に接触することで上部緩衝材を底蓋体に対して位置決めするとともに、底蓋体内での突起自身の位置ずれを防止することにより、上部収容体が底蓋体に対して上面の開口から挿入される際の切欠部との相対的な位置決めを行うことができる。この場合、上部収容体を単に底蓋体の内側に挿入するだけで、自然に突起と切欠部との位置合わせが行われるため、特に両者の位置関係に注意する必要がなく、極めて容易に作業を行うことができる。
【００１５】
また本発明の梱包箱において、上部緩衝材は、所定の板状材の上面に形成されており、上記の突起は、板状材の周縁から張り出して形成されている態様が好ましい。
【００１６】
例えば、下部緩衝材や上部緩衝材を段ボールのブランクから立体的に組み立てて構成する態様であれば、上記の板状材を段ボール製の板から構成するとともに、その周縁に突起を一体的に形成することができる。このような態様であっても、突起の先端が底蓋体の側壁面に接触して上部緩衝材を自然に位置決めできることから、上部収容体を挿入する際に上部緩衝材の段ボールを下部緩衝材に折込作業で固定（ロック）させておく必要がない。
【発明の効果】
【００１７】
本発明の梱包箱によれば、特に上部緩衝材を前もって下部緩衝材に固定（ロック）させたり、細かく位置調整をしたりすることなく、極めて容易に上部収容体を挿入することができ、それだけ作業工数を削減し、梱包作業の効率を大幅に向上することができる。
【発明を実施するための最良の形態】
【００１８】
以下、本発明の梱包箱について、一実施形態を挙げて説明する。
図１は、一実施形態の梱包箱１００を示す斜視図である。ここでは梱包箱１００が完成した状態で示されており、その外形は略直方体（六面体）形状である。梱包箱１００は底蓋体１０２と上部収容体１０４とを組み合わせて構成されており、これら底蓋体１０２及び上部収容体１０４は、例えば段ボール製のボード材をブランクに打ち抜いて、これを折り曲げることで組み立てられている。底蓋体１０２及び上部収容体１０４には、それぞれ連結用穴１１０，１１２が形成されている。これら連結用穴１１０，１１２には、図示しないジョイント等の連結部材が挿通されるものとなっており、底蓋体１０２及び上部収容体１０４は、ジョイントを介して相互に連結される。このような構成の梱包箱１００は、例えば複写機や複合機、フィニッシャ等のようにある程度の質量を有する製品（いわゆる重量物）を梱包する用途に適している。
【００１９】
次に図２は、梱包箱１００を複数の構成要素に分解して示した分解斜視図である。梱包箱１００の構成要素には、図１に示される底蓋体１０２及び上部収容体１０４の他、その内部に収容される下部緩衝材１０６及び上部緩衝材１０８が含まれている。以下、各構成要素について説明する。
【００２０】
底蓋体１０２及び上部収容体１０４は、それぞれ直方体形状（箱形状）をなしており、このうち底蓋体１０２はその上面が全体的に開口し、上部収容体１０４はその下面が全体的に開口している。これに対して上部収容体１０４は、底蓋体１０２の上面開口を通じてその内側に挿入されるものとなっている（いわゆる半Ａ式ケース）。このため底蓋体１０２の開口は、上部収容体１０４の胴体の外形よりも僅かに大きく設定されている。
【００２１】
底蓋体１０２は、底板１０２ａ及び４枚の側壁１０２ｂから構成されている。底板１０２ａは長方形状をなしており、その上面には下部緩衝材１０４が載置されるものとなっている。また４枚の側壁１０２ｂは、底板１０２ａの周縁（長方形の４辺）から略垂直に立ち上がるようにして上方に延びている。
【００２２】
上部収容体１０４は、天板を構成する４枚のフラップ状片１０４ａ及び４つの側壁１０４ｂから構成されている。図１に示されるように、４枚のフラップ状片１０４ａを折り畳んで重ね合わせると、全体として長方形状の天板が形成される。この状態で天板（４枚のフラップ状片１０４ａ）は上部収容体１０４の上面を閉じている。また４枚の側壁１０４ｂは、天板の周縁（長方形の４辺）から略垂直に垂れ下がるようにして下方に延びている。梱包箱１００の内部に収容される製品は、その四方を４つの側壁１０４ｂによって取り囲まれることになる。
【００２３】
図１に示されているように、上部収容体１０４を底蓋体１０２の開口内に挿入した状態では、上部収容体１０４の側壁１０４ｂが底蓋体１０２の側壁１０２ｂの内側に嵌め合わされ、４面のそれぞれで相互に重なり合った状態となる。この状態で、上記の連結用穴１１０，１１２が同じ位置で重なり合い、図示しないジョイントの挿通を可能とする。
【００２４】
連結用穴１１０，１１２は、材料となる段ボールを厚み方向に打ち抜いて（貫通して）形成されている。底蓋体１０２については、各側壁１０２ｂの幅方向でみた中央位置に１つずつ設けられている。また上部収容体１０４については、各側壁１０４ｂの幅方向でみた中央位置で、その下端縁部に１つずつ設けられている。このため、連結用穴１１０，１１２を形成しても側壁１０２ｂ，１０４ｂは極端に脆弱化することがなく、これらは依然として適度な強度を保持している。
【００２５】
下部緩衝材１０６は、長方形状のベース板１０６ａの上面に設けられている。ベース板１０６ａは、その外形の大きさが底蓋体１０２の内法（対向する側壁１０２ｂ間の寸法）よりも僅かに小さい。これに対して下部緩衝材１０６は、ベース板１０６ａの周縁から内側に一回り小さく入り込んだ範囲内で設置されている。このため下部緩衝材１０６の側面は、ベース板１０６ａの周縁からある程度の間隔をおいて内側に入り込んだ位置にある。
【００２６】
このような下部緩衝材１０６を底蓋体１０２の上面の開口から収容する際、ベース板１０６ａの周縁が側壁１０２ｂの内面に沿って案内されるので、下部緩衝材１０６を底蓋体１０２に対して容易に位置決めすることができる。また上記のように、下部緩衝材１０６はベース板１０６ａの周縁よりも内側に入り込んだ範囲内で設置されているため、下部緩衝材１０６が底板１０２ａ上に設置されたとき、その周囲には側壁１０２ｂとの間に隙間が確保されるものとなっている。
【００２７】
下部緩衝材１０６及びベース板１０６ａは、例えば段ボール製のボード材から成形されている。特に下部緩衝材１０６はボード材ブランクに打ち抜き、これを折り曲げ加工して立体的に組み立てられており、それによってベース板１０６ａの上面からある程度の高さを有している。このような下部緩衝材１０６は、梱包箱１００に収容される製品の荷重を支持するとともに、例えば落下時の衝撃荷重を座屈変形によって吸収する役割を果たす。
【００２８】
上部緩衝材１０８もまた、平らなガイド板１０８ａの上面に設けられているが、ガイド板１０８ａの外形は略長方形状であり、その四辺の中央位置にそれぞれ突起１０８ｂが一体的に形成されている。より詳しくは、ガイド板１０８ａはその外形の大きさが上記のベース板１０６ａよりも一回り小さく、そして、上部緩衝材１０８はガイド板１０８ａの周縁内に設置されている。このため上部緩衝材１０８の側面は、ガイド板１０８ａの周縁と略同じ位置にまで達している。
【００２９】
また、ガイド板１０８ａの各辺に形成されている４つの突起１０８ｂは、いずれもガイド板１０８ａの周縁から水平に張り出すようにして延びている。突起１０８ｂはある程度の幅を有しているが、その幅はガイド板１０８ａの長辺及び短辺に対して充分に小さい（例えば１０分の１〜８分の１程度）。ただし、ガイド板１０８ａの対辺同士では、各突起１０８ｂの先端間の寸法が底蓋体１０２の内法（対向する側壁１０２ｂ間の寸法）よりも僅かに小さくなっている。
【００３０】
上部緩衝材１０８は、下部緩衝材１０６の上に載置するようにして底蓋体１０２に収容される。このような上部緩衝材１０８を底蓋体１０２の上面の開口から収容する際、ガイド板１０８ａの４つの突起１０８ｂの先端が側壁１０２ｂの内面に沿って案内されるため、上部緩衝材１０８を底蓋体１０２に対して容易に位置決めすることができる。また上記のように、上部緩衝材１０８はガイド板１０８ａの周縁にまで達しているものの、ガイド板１０８ａの周縁は突起１０８ｂの先端よりも内側に入り込んでいるため、上部緩衝材１０８が下部緩衝材１０６上に載置されたとき、その周囲には側壁１０２ｂとの間に隙間が確保されるものとなっている。
【００３１】
上部緩衝材１０８、ガイド板１０８ａ及び突起１０８ｂもまた、例えば段ボール製のボード材から成形されている。このうち上部緩衝材１０８はボード材ブランクに打ち抜き、これを折り曲げ加工して立体的に組み立てられており、それによってガイド板１０８ａの上面からある程度の高さを有している。このような上部緩衝材１０８は、梱包箱１００に収容される製品の下面を直接に支持するとともに、例えば落下時の衝撃荷重を座屈変形によって吸収する役割を果たす。
【００３２】
上部収容体１０４の側壁１０４ｂには、それぞれ切欠部１１４が形成されている。この切欠部１１４は、各側壁１０４ｂをその下端縁から上方に向けて矩形に切り欠いて形成されており、その幅は上記の突起１０８ｂよりも大きい。また切欠部１１４の深さ（縦方向の長さ）は、下部緩衝材１０６の上に上部緩衝材１０８が載置された状態で、底蓋体１０２の底板１０２ａの上面から突起１０８ｂの上面までの高さよりも大きい。
【００３３】
このため図１に示されているように、上部収容体１０４が底蓋体１０２に挿入されたとき、側壁１０４ｂの下端縁が底板１０２ａ上に着地した状態で４つの突起１０８ｂはそれぞれ対応する切欠部１１４の内側に入り込み、これによって底板１０２ａと各突起１０８ｂとの間の段差が吸収されている。
【００３４】
次に図３は、上部収容体１０４を構成するブランクの展開図である。上部収容体１０４は１枚のブランクから成形することができる。上記の連結用穴１１２及び切欠部１１４は、ブランクの状態で既に形成されている。このブランクは、その長手方向に沿って４つの側壁１０４ｂとなる部位を有しており、各部位は折り曲げ線（図中１点鎖線）を介して区画されている。また側壁１０４ｂとなる部位には、それぞれ折り曲げ線（図中２点鎖線）を介してフラップ片１０４ａが連結されている。
【００３５】
先ず、図３に示されるブランクを各折り曲げ線（図中１点鎖線）で折り曲げると、角筒状の胴体が整形される。ブランクの長手方向でみた一端部には接合用のフラップＦが形成されており、このフラップＦは長手方向でみて反対側に位置する側壁１０４ｂの内面に重ね合わせて接着される。
【００３６】
次に、４つに分かれたフラップ状片１０４ａを各折り曲げ線（図中２点鎖線）にて折り畳み、これらを１つの天板として構成することで上部収容体１０４が成形される。なおフラップ状片１０４ａは、折り畳んだ状態で上側に位置する２つの合わせ目を粘着テープ等で貼り合わせることで、相互に接合することができる。なお、底蓋体１０２については公知のものを適用できるため、ここでは特にブランク等の図示を省略する。
【００３７】
図４は、底蓋体１０２と上部緩衝材１０８及びガイド板１０８ａ（突起１０８ｂ）との寸法関係を示した平面図である。以下、各部の寸法関係について詳細に説明する。
底蓋体１０２の対向する側壁１０２ｂ間の各寸法（内法）をＬ１，Ｗ１とし、ガイド板１０８ａの長辺及び短辺の各寸法をＬ２，Ｗ２とすると、これらは次の関係にある。すなわち、側壁１０２ｂ間の長い方の寸法Ｌ１よりもガイド板１０８ａの長辺の寸法Ｌ２は小さく、また、側壁１０２ｂ間の短い方の寸法Ｗ１よりもガイド板１０８ａの短辺の寸法Ｌ２は小さい（関係式：Ｌ１＞Ｌ２，Ｗ１＞Ｗ２）。
【００３８】
そして、対向する側壁１０２ｂ間の各寸法Ｌ１，Ｗ１と、ガイド板１０８ａの長辺及び短辺の各寸法Ｌ２，Ｗ２との差は、上部緩衝材１０８及びガイド板１０８ａの周囲に形成される隙間Ｓ１，Ｓ２の大きさに相当する（関係式：Ｓ１＝Ｌ１−Ｌ２，Ｓ２＝Ｗ１−Ｗ２）。なお隙間Ｓ１，Ｓ２の大きさは、上部収容体１０４の側壁１０４ｂの板厚よりも大きい。また、隙間Ｓ１，Ｓ２は略同じ大きさでよい。
【００３９】
また、ガイド板１０８ａの対辺同士でみて各突起１０８ｂの先端間の寸法のうち長い方をＬ３、短い方をＷ３とすると、これらは次の関係を持つ。すなわち、側壁１０２ｂ間の長い方の寸法Ｌ１よりも各突起１０８ｂの先端間の長い方の寸法Ｌ３は僅かに小さく、また、側壁１０２ｂ間の短い方の寸法Ｗ１よりも各突起１０８ｂの先端間の短い方の寸法Ｗ３は僅かに小さい（関係式：Ｌ１＞Ｌ３，Ｗ１＞Ｗ３）。ただし、突起１０８ｂがガイド板１０８ａの周縁から突出している分、寸法Ｌ３，Ｗ３の方が寸法Ｌ２，Ｗ２よりも大きい。各突起１０８ｂの突出した長さの寸法は、隙間Ｓ１，Ｓ２と略同じか、それより僅かに小さい。
【００４０】
図４には示されていないが、下部緩衝材１０６のベース板１０６ａについは、その長辺の寸法が側壁１０２ｂ間の長い方の寸法Ｌ１よりも僅かに小さく、また、短辺の寸法は側壁１０２ｂ間の短い方の寸法Ｗ１よりも僅かに小さい。そして、下部緩衝材１０６が設置されている範囲は、その外形の長い方の寸法がガイド板１０８ａの長辺の寸法Ｌ２と略同じであり、また短い方の寸法はガイド板１０８ａの短辺の寸法Ｗ２と略同じである。このため、下部緩衝材１０６の周囲にも各側壁１０２ｂとの間に隙間Ｓ１，Ｓ２が確保されることになる。
【００４１】
そして、上記の隙間Ｓ１，Ｓ２により、上部緩衝材１０８及び下部緩衝材１０６の周囲に上部収容体１０４の挿入空間（図中のハッチング部分）が形成されている。上部収容体１０４を底蓋体１０２に挿入するとき、各側壁１０４ｂは挿入空間を通じて下降することができ、上部緩衝材１０８及び下部緩衝材１０６に干渉することなく底蓋体１０２に組み合わせることができる。
【００４２】
また上部緩衝材１０８は、四方の突起１０８ｂがそれぞれ対応する側壁１０２ｂの内面に接触した状態にあるため、下部緩衝材１０６の上で位置がずれることはない。このため、底蓋体１０２に対して上部収容体１０４が挿入される際に、各突起１０８ｂと対応する側壁１０４ｂの切欠部１１４との相対的な位置決めが確実になされることから、各突起１０８ｂは対応する切欠部１１４に容易に入り込むことができる。
【００４３】
図５は、梱包箱１００の組み立て時に、突起１０８ｂが切欠部１１４に受け入れられた状態を示す縦断面図である。上述したように底蓋体１０２には、その底板１０２ａ上にベース板１０６ａを介して下部緩衝材１０６が設置されており、そして、その上にガイド板１０８ａを介して上部緩衝材１０８が載置されている。梱包される製品Ｐは上部緩衝材１０８によってその下面を直接に支持され、さらに下部緩衝材１０６によって荷重を支持される。
【００４４】
このとき突起１０８ｂと底板１０２ａとの間には、下部緩衝材１０６とベース板１０６ａの厚さ分だけ段差が生じている。ただし、突起１０８ｂは側壁１０４ｂの切欠部１１４に入り込むことができるため、梱包箱１００の組み立て時に上記の段差は解消されている。
【００４５】
次に、梱包箱１００を用いた梱包作業の一形態について説明する。なお、以下の作業手順はあくまで一例であり、これに制約されるものではない。
【００４６】
（１）作業パレット等の上に底蓋体１０２を設置する。
（２）底蓋体１０２の上面の開口を通じて下部緩衝材１０６を収容し、底板１０２ａ上に設置する。このとき下部緩衝材１０６は、ベース板１０６ａの周縁が側壁１０２ｂの内面に沿って案内されるので、底蓋体１０２に対して容易に位置決めされる。
【００４７】
（３）底蓋体１０２の上面の開口を通じて下部緩衝材１０６の上に上部緩衝材１０８を載置する。このとき上部緩衝材１０８は、ガイド板１０８ａの突起１０８ｂの先端が四方の側壁１０２ｂの内面に接触し、それによって下部緩衝材１０６の上で底蓋体１０２に対して容易に位置決めされる。また、このとき上部緩衝材１０８と側壁１０２ｂとの間に上記の挿入空間が確保される。
【００４８】
（４）上部緩衝材１０８の上に製品（例えば複写機）を載置する。
（５）上部収容体１０４を構成するブランクについて、これを先ず角筒状に成形する。このときフラップ状片１０４ａはまだ折り畳まれていない。
（６）上部緩衝材１０８上に載置された製品に対し、その上方から角筒状の上部収容体１０４を被せる。これは、上部収容体１０４の天板を開放した状態にしておくことで、空気の抜けをよくするためである。製品に被せた上部収容体１０４をさらに下降させると、側壁１０４ｂが底蓋体１０２の開口を通じて差し込まれる。このとき側壁１０２ｂは、上部緩衝材１０８及び下部緩衝材１０６の周囲に形成された挿入空間を通じて下降し、これらと干渉することなく底板１０２ａの上面に着地することができる。また突起１０８ｂについては、それぞれ対応する切欠部１１４に確実に受け入れられる。
【００４９】
（７）４枚のフラップ状片１０４ａを折り畳み、上側の突き合わせ部分を貼り合わせて１つの天板を構成する。
（８）連結用穴１１０，１１２にジョイントを挿通し、底蓋体１０２と上部収容体１０４を連結する。
【００５０】
なお、上記手順の（６）において、先にフラップ状片１０４ａを折り畳んでおいてもよい。この場合、手順（７）は手順（６）より前に実行される。
【００５１】
上記の手順を経て底蓋体１０２と上部収容体１０４とが組み合わせられると、梱包箱１００による製品の梱包作業が完了する。このように、本実施形態の梱包箱１００によれば、いわゆる半Ａ式ケース仕様の梱包作業において、下部緩衝材１０６の上に上部緩衝材１０８を載置するだけで、四方の突起１０８ｂが側壁１０２ｂの内面に接触して位置決めが自然に行われるため、上部緩衝材１０８を下部緩衝材１０６にロック（連結）させる作業を行う必要がない。
【００５２】
また、特に上部緩衝材１０８を下部緩衝材１０６にロックさせていなくても、四方の突起１０８ｂによって確実に上部緩衝材１０８が位置決めされ、その周囲には上部収容体１０４の挿入空間が確保されているため、上部収容体１０４の挿入時に下部緩衝材１０６の位置を微調整する必要がなく、その作業工数が削減されて作業効率が大幅に向上する。
【００５３】
さらに、四方の突起１０８ｂは側壁１０２ｂの内面に接触した状態で位置がずれないため、上部収容体１０４を挿入する際にそれぞれ対応する切欠部１１４に容易に入り込むことができ、突起１０８ｂと側壁１０４ｂとが干渉することなくスムーズに上部収容体１０４の挿入作業を完了させることができる。
【００５４】
本発明は上述した一実施形態に制約されることなく、各種の変形を伴って実施することが可能である。例えば、梱包箱は段ボールだけでなく、その他の包装材料を用いて成形することが可能である。
【００５５】
また一実施形態では突起１０８ｂを矩形状としているが、その形状は特に限定されておらず、台形や半円形でもよい。また、対応する切欠部１１４の形状についても、突起１０８ｂの形状に合わせて適宜変更することができる。
【００５６】
さらに、突起１０８ｂの配置や個数については特に制約がなく、実施する梱包箱のサイズに合わせて適宜増減したり、その配置を変更したりすることは可能である。
【００５７】
その他、一実施形態で挙げた梱包箱の構造はあくまで好ましい例示であり、その具体的な寸法や内容積等について何ら限定されるものではない。
【図面の簡単な説明】
【００５８】
【図１】一実施形態の梱包箱を示す斜視図である。
【図２】梱包箱を底蓋体と上部収容体とに分解して示した分解斜視図である。
【図３】上部収容体を構成するブランクの展開図である。
【図４】底蓋体と上部緩衝材及びガイド板（突起）との寸法関係を示した平面図である。
【図５】梱包箱の組み立て時に、突起が切欠部に受け入れられた状態を示す縦断面図（図１中Ｖ矢視断面図）である。
【符号の説明】
【００５９】
１００    梱包箱
１０２    底蓋体
１０２ａ  底板
１０２ｂ  側壁
１０４    上部収容体
１０４ａ  フラップ状片（天板）
１０４ｂ  側壁
１０６    下部緩衝材
１０６ａ  ベース板
１０８    上部緩衝材
１０８ａ  ガイド板
１０８ｂ  突起
１１４    切欠部
【図１】
2008179367.tif 000003
【図２】
2008179367.tif 000004
【図３】
2008179367.tif 000005
【図４】
2008179367.tif 000006
【図５】
2008179367.tif 000007